(57)【要約】【課題】簡単に排水ソケットや水密部材を交換することができるボウルユニットを提供することを目的とする。【解決手段】上下方向に貫通する第１開口部を有するカウンターと、カウンターの上に載置され、第１開口部を介して下方に排水する排水部を有するボウルと、ボウルをカウンターに固定するボウル固定部材と、カウンターに取り付けられる取付部と、上下方向に貫通し上下方向において第１開口部と重なる位置に設けられる第２開口部と、を有するソケット支持材と、ソケット支持材の下面に取り付けられ、第２開口部を介して排水部と接続される排水ソケットと、排水ソケットをソケット支持材に固定するソケット固定部材と、排水部と排水ソケットとの間を塞ぐ水密部材と、を備えたことを特徴とするボウルユニット。【選択図】図２
2020033857.tif 000002
【特許請求の範囲】
【請求項１】
上下方向に貫通する第１開口部を有するカウンターと、
前記カウンターの上に載置され、前記第１開口部を介して下方に排水する排水部を有するボウルと、
前記ボウルを前記カウンターに固定するボウル固定部材と、
前記カウンターに取り付けられる取付部と、上下方向に貫通し上下方向において前記第１開口部と重なる位置に設けられる第２開口部と、を有するソケット支持材と、
前記ソケット支持材の下面に取り付けられ、前記第２開口部を介して前記排水部と接続される排水ソケットと、
前記排水ソケットを前記ソケット支持材に固定するソケット固定部材と、
前記排水部と前記排水ソケットとの間を塞ぐ水密部材と、
を備えたことを特徴とするボウルユニット。
【請求項２】
前記取付部は、前記カウンターの上面に係合して取り付けられることを特徴とする請求項１記載のボウルユニット。
【請求項３】
前記第２開口部は、前記取付部に対して上下方向に離間していることを特徴とする請求項１または２に記載のボウルユニット。
【発明の詳細な説明】
【技術分野】
【０００１】
本発明の態様は、一般的に、ボウルユニットに関する。
【背景技術】
【０００２】
手洗器に設けられるボウルユニットにおいて、水栓装置から吐出された水を受けるボウルの底には、ボウル内の水を下方に排出する排水部が設けられる。排水部と排水管とを接続する手段として、排水部の内部にフランジを有する排水ソケットを設け、この排水ソケットを排水管に接続することが知られている。しかし、この構造では、フランジがボウル内に露呈しているために、フランジとボウルとの間に隙間が生じ、その隙間に汚れが溜まるという問題がある。
【０００３】
そこで、特許文献１では、排水部（排水孔部）の下方に排水ソケット（排水器具）を設けることで、排水ソケットがボウル（手洗器）内に露呈しないようにすることが提案されている。
【先行技術文献】
【特許文献】
【０００４】
【特許文献１】特許第５７６０４６７号公報
【発明の概要】
【発明が解決しようとする課題】
【０００５】
特許文献１では、排水部の下方に排水ソケットを設けるために、排水部の下方に排水ソケットを支持するソケット支持材（支持板）を設け、このソケット支持材に設けられた開口部（挿通部）に係合させるように排水ソケットを設けている。そして、排水ソケットの上方に排水部が位置するようにボウルを設け、排水部と排水ソケットとの間に水密部材（パッキン）を設けている。
【０００６】
しかし、この構造では、排水ソケットがボウルとソケット支持材との間に設けられているため、排水ソケットや水密部材を取り外す際には、ボウルやソケット支持材を取り外す必要がある。そのため、メンテナンス等で排水ソケットや水密部材等の部品を交換する際に手間がかかるという問題がある。
【０００７】
本発明は、かかる課題の認識に基づいてなされたものであり、簡単に排水ソケットや水密部材を交換することができるボウルユニットを提供することを目的とする。
【課題を解決するための手段】
【０００８】
第１の発明は、上下方向に貫通する第１開口部を有するカウンターと、前記カウンターの上に載置され、前記第１開口部を介して下方に排水する排水部を有するボウルと、前記ボウルを前記カウンターに固定するボウル固定部材と、前記カウンターに取り付けられる取付部と、上下方向に貫通し上下方向において前記第１開口部と重なる位置に設けられる第２開口部と、を有するソケット支持材と、前記ソケット支持材の下面に取り付けられ、前記第２開口部を介して前記排水部と接続される排水ソケットと、前記排水ソケットを前記ソケット支持材に固定するソケット固定部材と、前記排水部と前記排水ソケットとの間を塞ぐ水密部材と、を備えたことを特徴とするボウルユニットである。
【０００９】
このボウルユニットによれば、排水ソケットをソケット支持材の下面に取り付けることで、ボウルやソケット支持材を取り外さなくても、排水ソケットを下方に取り外すことができる。これにより、簡単に排水ソケットや水密部材を交換することができる。
【００１０】
第２の発明は、第１の発明において、前記取付部は、前記カウンターの上面に係合して取り付けられることを特徴とするボウルユニットである。
【００１１】
このボウルユニットによれば、取付部をカウンターの上面に係合させて取り付けることで、ソケット支持材がカウンターから落下しないため、ソケット支持材をカウンターに対して固定する必要がない。また、ボウルとソケット支持材との位置関係がカウンターの厚さによらず一定になるため、カウンターの厚さが変わっても、同じソケット支持材及び排水ソケットを使用することができる。
【００１２】
第３の発明は、第１または第２の発明において、前記第２開口部は、前記取付部に対して上下方向に離間していることを特徴とするボウルユニットである。
【００１３】
このボウルユニットによれば、第２開口部と取付部との間の上下方向の距離（ソケット支持材の高さ）を変えることで、様々なデザインのボウルに対応できる。
【発明の効果】
【００１４】
本発明の態様によれば、簡単に排水ソケットや水密部材を交換することができるボウルユニットが提供される。
【図面の簡単な説明】
【００１５】
【図１】実施形態に係るボウルユニットを備えた手洗器を模式的に表す正面図である。
【図２】実施形態に係るボウルユニットを模式的に表す分解正面図である。
【図３】実施形態に係るボウルユニットを模式的に表す分解斜視図である。
【図４】実施形態に係るボウルユニットの一部を模式的に表す正面断面図である。
【図５】実施形態に係るボウルユニットを備えた手洗器の変形例を模式的に表す分解斜視図である。
【発明を実施するための形態】
【００１６】
以下、本発明の実施形態について図面を参照しつつ説明する。なお、各図面中、同様の構成要素には同一の符号を付して詳細な説明は適宜省略する。
【００１７】
図１は、実施形態に係るボウルユニットを備えた手洗器を模式的に表す正面図である。  図２は、実施形態に係るボウルユニットを模式的に表す分解正面図である。  
図３は、実施形態に係るボウルユニットを模式的に表す分解斜視図である。  
図４は、実施形態に係るボウルユニットの一部を模式的に表す断面図である。  
図１〜図４に表したように、手洗器５００は、ボウルユニット１００と、水栓装置２００と、を備える。
【００１８】
手洗器５００は、例えば、トイレ室の内部に設けられるトイレ用の手洗器である。手洗器５００は、例えば、トイレ室に設置されるキャビネットに設けられる。手洗器５００は、例えば、洗面所に設けられる洗面化粧台であってもよい。
【００１９】
ボウルユニット１００は、カウンター１０と、ボウル２０と、ボウル固定部材３０と、ソケット支持材４０と、排水ソケット５０と、ソケット固定部材６０と、水密部材７０と、排水管８０と、を備える。
【００２０】
水栓装置２００は、吐水口２１０を有しており、吐水口２１０の下方に設けられたボウル２０に向かって水を吐出する。使用者は、水栓装置２００からの吐水により、手などを洗うことができる。なお、本願明細書において「水」という場合には、冷水のみならず、加熱されたお湯も含むものとする。
【００２１】
また、本願明細書においては、ボウルユニット１００と向き合う使用者からみて手前側を「前方」とし、奥側を「後方」とし、上側を「上方」とし、下側を「下方」とし、右側を「右側方」とし、左側を「左側方」とする。
【００２２】
この例では、水栓装置２００は、カウンター１０に取り付けられている。また、この例では、水栓装置２００は、ボウル２０の左側方に取り付けられている。水栓装置２００は、例えば、ボウル２０の右側方や後方に取り付けられてもよい。また、水栓装置２００は、例えば、図５に表したようにボウル２０に取り付けられてもよいし、ボウル２０の後方の壁に取り付けられてもよい。
【００２３】
カウンター１０は、ボウル２０を支持する。カウンター１０は、例えば、床または壁に支持される。カウンター１０は、例えば、略水平方向に拡がる板状の部材である。カウンター１０は、例えば、キャビネットの天板である。換言すれば、手洗器５００は、例えば、キャビネットの上部に設けられる。カウンター１０は、例えば、金属製の板状の部材であってもよい。
【００２４】
カウンター１０は、上下方向に貫通する第１開口部１１を有する。第１開口部１１は、上下方向においてボウル２０と重なる位置に設けられる。第１開口部１１の上面視における形状は、例えば、ボウル２０の上面視における形状に対応する。この例では、第１開口部１１の上面視における形状は、ボウル２０の上面視における形状に対応して略矩形状である。第１開口部１１の上面視における形状は、例えば、ソケット支持材４０や排水ソケット５０の上面視における形状に対応していてもよい。なお、第１開口部１１の上面視における形状は、これに限定されない。第１開口部１１の上面視における形状は、ボウル２０や、ソケット支持材４０、排水ソケット５０の上面視における形状に対応していなくてもよい。
【００２５】
ボウル２０は、カウンター１０の上に載置される。ボウル２０は、吐水口２１０の下方に設けられる。ボウル２０は、吐水口２１０から吐出された水を受け、下方に排出する。ボウル２０は、吐水口２１０から吐出された水を受ける本体部２１と、本体部２１の下端から下方に延びる排水部２２を有する。排水部２２は、筒状の構造を有し、本体部２１内の水をカウンター１０の第１開口部１１を介して下方に排出する。本体部２１の内壁には、例えば、本体部２１内の水を排水部２２に導くための傾斜が設けられる。
【００２６】
本体部２１の少なくとも一部は、例えば、カウンター１０の上面１０ａよりも上方に位置する。換言すれば、本体部２１の少なくとも一部は、例えば、カウンター１０の上面１０ａから上方に突出する。
【００２７】
この例では、排水部２２は、第１開口部１１の内部に位置している。換言すれば、排水部２２の下端２２ａは、カウンター１０の上面１０ａよりも下方に位置している。排水部２２は、例えば、第１開口部１１の内部に位置していなくてもよい。換言すれば、排水部２２の下端２２ａは、例えば、カウンター１０の上面１０ａよりも上方に位置していてもよい。
【００２８】
また、この例では、排水部２２の下端２２ａは、カウンター１０の下面１０ｂよりも下方に位置している。排水部２２の下端２２ａは、例えば、カウンター１０の下面１０ｂよりも上方に位置していてもよい。
【００２９】
ボウル固定部材３０は、ボウル２０をカウンター１０に固定する。ボウル固定部材３０は、例えば、カウンター１０の下面１０ｂからカウンター１０を上下方向に貫通する。カウンター１０には、例えば、ボウル固定部材３０を貫通させるための孔部が設けられる。ボウル固定部材３０は、例えば、ネジであってもよいし、ボルト及びナットであってもよい。
【００３０】
ソケット支持材４０は、排水ソケット５０を支持する。ソケット支持材４０は、例えば、金属製の板状の部材である。ソケット支持材４０は、取付部４１を有する。取付部４１は、カウンター１０に取り付けられる。取付部４１は、例えば、ソケット支持材４０をカウンター１０に取り付ける際に、カウンター１０と接する部分である。取付部４１は、例えば、ソケット支持材４０の前後方向の端部及び左右方向の端部の少なくともいずれかに設けられる。この例では、取付部４１は、ソケット支持材４０の左側方の端部及び右側方の端部に１つずつ設けられている。
【００３１】
ソケット支持材４０は、例えば、カウンター１０の上面１０ａまたは下面１０ｂに取り付けられる。換言すれば、取付部４１は、例えば、カウンター１０の上面１０ａまたは下面１０ｂと接する。例えば、取付部４１がカウンター１０の下面１０ｂに取り付けられる場合には、取付部４１は、カウンター１０の下面１０ｂの下面１０ｂからネジ止めなどにより固定される。
【００３２】
この例では、取付部４１は、カウンター１０の上面１０ａに取り付けられ、カウンター１０の上面１０ａに係合している。このように、取付部４１をカウンター１０の上面１０ａに係合させて取り付けることで、ソケット支持材４０がカウンター１０から落下しないため、ソケット支持材４０をカウンター１０に対して固定する必要がない。また、ボウル２０とソケット支持材４０との位置関係がカウンター１０の厚さ（上面１０ａと下面１０ｂとの間の距離）によらず一定になるため、カウンター１０の厚さが変わっても、同じソケット支持材４０及び排水ソケット５０を使用することができる。
【００３３】
ソケット支持材４０は、上下方向に貫通する第２開口部４２を有する。第２開口部４２は、上下方向において、第１開口部１１と重なる位置に設けられる。第２開口部４２の全体は、例えば、上下方向において、第１開口部１１と重なる。換言すれば、上面視において、例えば、第２開口部４２の周端（縁）は、第１開口部１１の周端（縁）の内側に位置する。例えば、上面視において、第２開口部４２の面積は、第１開口部１１の面積よりも小さい。第２開口部４２は、例えば、前後方向または左右方向において、取付部４１の間に設けられる。
【００３４】
ボウル２０の排水部２２は、例えば、第２開口部４２の内部に位置する。また、排水部２２の下端２２ａは、例えば、ソケット支持材４０の下面４０ａよりも下方に位置する。換言すれば、排水部２２の下端２２ａは、例えば、ソケット支持材４０の下面４０ａから下方に突出する。
【００３５】
第２開口部４２の上面視における形状は、例えば、排水部２２の上面視における形状に対応する。この例では、第２開口部４２の上面視における形状は、排水部２２の上面視における形状に対応して略円形である。なお、第２開口部４２の上面視における形状は、これに限定されない。第２開口部４２の上面視における形状は、排水部２２の上面視における形状に対応していなくてもよい。例えば、排水部２２の上面視における形状が略円形である場合に、第２開口部４２の上面視における形状が略矩形状などであってもよい。
【００３６】
第２開口部４２は、例えば、取付部４１に対して上下方向に離間する。換言すれば、第２開口部４２は、例えば、取付部４１よりも上方または下方に位置する。この例では、第２開口部４２は、取付部４１よりも下方に位置している。このような構造であれば、第２開口部４２と取付部４１との間の上下方向の距離（ソケット支持材４０の高さ）を変えることで、様々なデザインのボウル２０に対応できる。
【００３７】
なお、ソケット支持材４０は、これに限定されず、平板状であってもよい。換言すれば、第２開口部４２と取付部４１とは、同一平面上に設けられていてもよい。
【００３８】
例えば、ソケット支持材４０は、取付部４１が設けられる第１部分４０１と、第２開口部が設けられる第２部分４０２と、第１部分４０１と第２部分４０２とを接続する第３部分４０３と、を有する。第１部分４０１及び第２部分４０２は、例えば、略水平方向に拡がる。第３部分４０３は、例えば、略鉛直方向に拡がる。
【００３９】
この例では、第２部分４０２は、左右方向において、２つの第１部分４０１の間に位置する。また、この例では、第１部分４０１は、カウンター１０の上面１０ａと略同一平面上に位置し、第２部分４０２は、カウンター１０の下面１０ｂと略同一平面上に位置する。
【００４０】
第３部分４０３は、例えば、第１開口部１１に沿うように設けられる。この例では、第３部分４０３の上下方向の長さは、カウンター１０の厚さと略同じである。第３部分４０３の上下方向の長さを変えることで、第２開口部４２と取付部４１との間の上下方向の距離を変えることができる。
【００４１】
排水ソケット５０は、ソケット支持材４０の下面４０ａに取り付けられる。排水ソケット５０は、例えば、ソケット支持材４０の第２部分４０２の下面に取り付けられる。また、排水ソケット５０は、第２開口部４２を介して排水部２２と接続される。
【００４２】
排水ソケット５０は、例えば、取付部５１と、ボウル接続部５２と、排水管接続部５３と、を有する。取付部５１は、ソケット支持材４０の下面４０ａに取り付けられる。取付部５１は、例えば、ソケット支持材４０の第２部分４０２の下面に取り付けられる。取付部５１は、上下方向において、第２部分４０２と重なる位置に設けられる。取付部５１は、例えば、略水平方向に拡がる平板状である。
【００４３】
ボウル接続部５２は、ボウル２０の排水部２２と接続される。ボウル接続部５２は、例えば、前後方向または左右方向において、取付部５１の間に設けられる。ボウル接続部５２は、上下方向において、ボウル２０の排水部２２及びソケット支持材４０の第２開口部４２と重なる位置に設けられる。
【００４４】
この例では、ボウル接続部５２は、上方が開放されたカップ状であり、上方から排水部２２がボウル接続部５２の内部に挿入されている。なお、ボウル接続部５２と排水部２２との接続は、これに限定されない。例えば、下方からボウル接続部５２がボウル２０の排水部２２の内部に挿入されてもよい。
【００４５】
排水管接続部５３は、ボウル接続部５２と排水管８０とを接続する。換言すれば、ボウル２０の排水部２２は、排水ソケット５０のボウル接続部５２及び排水管接続部５３を介して、排水管８０と接続される。排水管接続部５３は、例えば、ボウル接続部５２の下端から下方に延びる筒状である。
【００４６】
ソケット固定部材６０は、排水ソケット５０をソケット支持材４０に固定する。ソケット固定部材６０は、例えば、排水ソケット５０の下面から排水ソケット５０を上下方向に貫通する。ソケット支持材４０には、例えば、ソケット固定部材６０を貫通させるための孔部が設けられる。ソケット固定部材６０は、例えば、ネジであってもよいし、ボルト及びナットであってもよい。
【００４７】
水密部材７０は、ボウル２０の排水部２２と排水ソケット５０との間を塞ぐ。水密部材７０は、例えば、排水部２２と排水ソケット５０のボウル接続部５２との間を塞ぐ。この例では、ボウル接続部５２の内部に排水部２２が挿入されているため、水密部材７０は、排水部２２の外壁とボウル接続部５２の内壁との間に設けられている。例えば、ボウル接続部５２がボウル２０の排水部２２の内部に挿入される場合には、水密部材７０は、排水部２２の内壁とボウル接続部５２の外壁との間に設けられる。
【００４８】
水密部材７０は、ボウル２０の排水部２２と排水ソケット５０との間の水の通過を防止し、いわゆる水密状態にする。水密部材７０は、例えば、パッキンである。
【００４９】
排水管８０は、排水ソケット５０の排水管接続部５３と、床または壁に設けられた排出部８５と、を接続する。排水管８０は、例えば、排水トラップを有する。排水トラップは、例えば、上方からの排水を２か所のＵ字構造を介して床に設けられた排出部８５に流す、いわゆるＳトラップであってもよいし、上方からの排水を１か所のＵ字構造を介して壁に設けられた排出部８５に流すいわゆるＰトラップであってもよい。この例では、排水管８０は、Ｐトラップを有する。
【００５０】
吐水口２１０から吐出された水は、例えば、ボウル２０の本体部２１から排水部２２を通り、排水ソケット５０の排水管接続部５３を通り、さらに排水管８０を通って、排出部８５から排出される。
【００５１】
例えば、排水ソケット５０をボウル２０とソケット支持材４０との間に設ける構造では、排水ソケット５０や水密部材７０を取り外す際に、ボウル２０やソケット支持材４０を取り外す必要がある。したがって、このような構造では、メンテナンス等で排水ソケット５０や水密部材７０等の部品を交換する際に手間がかかるという問題がある。
【００５２】
これに対し、実施形態によれば、排水ソケット５０をソケット支持材４０の下面４０ａに取り付けることで、ボウル２０やソケット支持材４０を取り外さなくても、排水ソケット５０を下方に取り外すことができる。これにより、簡単に排水ソケット５０や水密部材７０を交換することができる。
【００５３】
また、例えば、排水ソケット５０をソケット支持材４０の上に係合させる構造において、平板状のソケット支持材４０を用いると、ボウル２０を深くした場合に排水ソケット５０の位置が下がり、ソケット支持材４０の位置も下がることになる。ソケット支持材４０の位置が下がると、例えば、ボウルユニット１００をキャビネットに設けた場合に、キャビネット内の収納空間が小さくなってしまうという問題がある。
【００５４】
これに対し、実施形態によれば、排水ソケット５０をソケット支持材４０の下面４０ａに取り付ける構造において、第２開口部４２を取付部４１に対して上下方向に離間させた（すなわち、第３部分４０３を設けた）ソケット支持材４０を用いることで、ボウル２０を深くした場合にも、第３部分４０３によって、ソケット支持材４０の位置が下がることを抑制できる。これにより、例えば、ボウルユニット１００をキャビネットに設けた場合に、キャビネット内の収納空間が小さくなることを抑制できる。
【００５５】
図５は、実施形態に係るボウルユニットを備えた手洗器の変形例を模式的に表す分解斜視図である。  
図５に表したように、この例では、水栓装置２００は、ボウル２０に取り付けられている。このように、手洗器５００は、ボウルユニット１００に水栓装置２００が取り付けられたものであってもよい。
【００５６】
このような手洗器５００においても、排水ソケット５０をソケット支持材４０の下面４０ａに取り付けることで、ボウル２０やソケット支持材４０を取り外さなくても、排水ソケット５０を下方に取り外すことができ、簡単に排水ソケット５０や水密部材７０を交換することができる。
【００５７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、手洗器やボウルユニットなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５８】
１０ カウンター、  １０ａ 上面、  １０ｂ 下面、  １１ 第１開口部、  ２０ ボウル、  ２１ 本体部、  ２２ 排水部、  ２２ａ 下端、  ３０ ボウル固定部材、  ４０ ソケット支持材、  ４０ａ 下面、  ４１ 取付部、  ４２ 第２開口部、  ５０ 排水ソケット、  ５１ 取付部、  ５２ ボウル接続部、  ５３ 排水管接続部、  ６０ ソケット固定部材、  ７０ 水密部材、  ８０ 排水管、  ８５ 排出部、  １００ ボウルユニット、  ２００ 水栓装置、  ２１０ 吐水口、  ４０１ 第１部分、  ４０２ 第２部分、  ４０３ 第３部分、  ５００ 手洗器
【図１】
2020033857.tif 000003
【図２】
2020033857.tif 000004
【図３】
2020033857.tif 000005
【図４】
2020033857.tif 000006
【図５】
2020033857.tif 000007